【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
第１の記憶媒体（ＭＣ）から検索された第１のデータにアクセスする方法であって、
・第１のインタフェース（Ｉ１）を通じて第１のデータを前記第１の記憶媒体（ＭＣ）から検索するステップを含み、当該第１のデータは第１のコンテンツ識別データと第１のアプリケーションデータを含み、ここで当該第１のアプリケーションデータは特定のバージョンまたはクオリティレベルの特定のＡＶコンテンツを含み；
・第１のインタフェース（Ｉ１）を通じて第２のデータを前記第１の記憶媒体（ＭＣ）から検索するステップを含み、当該第２のデータは第２のアプリケーションデータを含み、ここで当該第２のアプリケーションデータは前記第１のアプリケーションデータと実質的に同じであるが、異なったバージョンまたはクオリティレベルのコンテンツを含み；
・第２のインタフェース（Ｉ２)を通じてリムーバルパッシブデバイスへ電力を供給するステップを含み、当該デバイスは第２の記憶媒体（ＭＩＤ）を含み；
・前記第２のインタフェース（Ｉ２）を通じて、第１の鍵識別データを、前記リムーバルデバイス上の第２の記憶媒体（ＭＩＤ）から受信するステップを含み；
・前記第２のインタフェース（Ｉ２）を通じて受信した前記第１の鍵識別データを、前記第１のインタフェース（Ｉ１）を通じて検索された第１のコンテンツ識別データと比較する（ＣＭＰ）ステップを含み；
・事前に定められたルールに従って、前記第１のコンテンツ識別データが前記第１の鍵識別データと一致している場合には、前記第１のアプリケーションデータを選択するステップを含み；
・一致していない場合には、前記第２のアプリケーションデータを選択するステップを含み；
・前記選択されたアプリケーションデータのさらなる処理（ＤＥＣ）を可能にするステップを含む、
ことを特徴とする、第１の記憶媒体から検索された第１のデータにアクセスする方法。
【請求項２】
前記第１のアプリケーションデータは第１の解像度でのビデオデータを含み、前記第２のアプリケーションデータは実質的に同じであるが、異なった第２の解像度でのビデオデータを含んでいる、請求項１記載の方法。
【請求項３】
前記第１のアプリケーションデータは第１の版でのビデオデータを含み、前記第２のアプリケーションデータは実質的に同じであるが、異なった第２の版でのビデオデータを含んでいる、請求項１記載の方法。
【請求項４】
ＡＶコンテンツの所定のバージョンまたはクオリティレベルのさらなる処理（ＤＥＣ）は、第１のコンテンツ識別データに従ってデコーディングプロシージャを選択することを含み、ここで当該デコーディングプロシージャは前記第１のコンテンツ識別データから抽出されたデータを、操作値またはパラメータとして使用する、請求項１記載の方法。
【請求項５】
前記さらなる処理（ＤＥＣ）は、前記第１のアプリケーションデータの前記ＡＶコンテンツの所定のバージョンまたはクオリティレベルのデータの再符号化を含み、さらに、
・第１のコンテンツ識別データまたは第１の鍵識別データを、前記第１のアプリケーションデータの再符号化された部分に付加するステップと；
・前記第１のアプリケーションデータの再符号化された部分を、前記付加された識別データとともに、記憶または提示のためのインタフェースに提供するステップを含む、請求項１または２記載の方法。
【請求項６】
前記第１のアプリケーションデータは暗号化されており、前記第２のインタフェース（Ｉ２）を通じて受信された前記第１の鍵識別データはさらに暗号鍵と解読鍵を含んでおり、ここで当該暗号鍵と解読鍵は一致し、
さらに
・暗号鍵を前記第１の鍵識別データから抽出するステップと；
・前記第１のアプリケーションデータを暗号化または再符号化し、前記識別データを付加するステップを含み、前記抽出された暗号鍵は暗号化または再符号化のために使用され、結果として生じるデータは解読鍵を使用して解読される、請求項１から５までのいずれか１項記載の方法。
【請求項７】
さらに、
・前記第１の鍵識別データを格納し、当該格納された鍵識別データを、コンテンツ識別データと鍵識別データを比較するステップのために検索するステップと；
・前記格納された鍵識別データを所定の時間後に削除するステップを含む、請求項１から６までのいずれか１項記載の方法。
【請求項８】
前記第１の鍵識別データは複数の異なる鍵識別値を含み、ＡＶコンテンツのバージョンまたはクオリティレベルを定めるステップにおいて、第１の鍵識別データ内に含まれるあらゆる鍵識別値と一致する第１のコンテンツ識別データを有するＡＶコンテンツのバージョンまたはクオリティレベルを定める、請求項１から７までのいずれか１項記載の方法。
【請求項９】
前記第１のアプリケーションデータは暗号化されており、前記第１の鍵識別データはさらに解読鍵を含み、当該解読鍵は前記第１の鍵識別値から抽出され、前記第１のアプリケーションデータを解読するために使用される、請求項１から８までのいずれか１項に記載された方法。
【請求項１０】
ＡＶコンテンツの異なるバージョンまたはクオリティレベルは異なる第１のコンテンツ識別データを有する、請求項１から９までのいずれか１項記載の方法。
【請求項１１】
前記第２の記憶媒体（ＭＩＤ）は読み出し専用媒体であって、ワイヤレスインタフェースを通じてアクセス可能である、請求項１から１０までのいずれか１項記載の方法。
【請求項１２】
前記第１の記憶媒体（ＭＣ）と前記第２の記憶媒体（ＭＩＤ）は相互に取り付けられない、請求項１から１１までのいずれか１項記載の方法。
【請求項１３】
暗号鍵は前記第２のインタフェース（Ｉ２）を通じて前記リムーバルパッシブデバイス（ＭＣ）へ提供され、当該暗号鍵を用いて、受信された第１の鍵識別データが暗号化される、請求項１から１２までのいずれか１項記載の方法。
【請求項１４】
第１の記憶媒体（ＭＣ）から検索された第１のデータにアクセスするための装置であって、
当該装置は
・第１のインタフェース（Ｉ１）と、第１のデータを第１の記憶媒体（ＭＣ）から検索するための受信手段（ＰＣＵ）を含み、当該第１のデータは第１のコンテンツ識別データと第１のアプリケーションデータを含み、ここで当該第１のアプリケーションデータは、ＡＶコンテンツの第１のバージョンまたはクオリティレベルおよび、実質的に同じＡＶコンテンツの第２のバージョンまたはクオリティレベルを含み；
・第１のコンテンツ識別データから第１のコンテンツ識別値を抽出する手段を含み；
・第２のインタフェース（Ｉ２)と、第２の記憶媒体（ＭＩＤ）を含むパッシブデバイスへ電力を供給し、当該デバイス上の第２の記憶媒体（ＭＩＤ）から第１の鍵識別データを受信するための受信手段を含み；
・前記第１の鍵識別値を前記第１の鍵識別データから抽出する手段を含み；
・前記第１の鍵識別値を、前記第１のコンテンツ識別値と比較する比較手段を含み（ＣＭＰ）；
・事前に定められたルールに従って、前記第１のコンテンツ識別値が前記第１の鍵識別値と一致している場合に、ＡＶコンテンツの第１のバージョンまたはクオリティレベルを決定し、一致していない場合には、ＡＶコンテンツの第２のバージョンまたはクオリティレベルを決定する決定手段（ＣＭＰ）を含み；
・ＡＶコンテンツの前記決定されたバージョンまたはクオリティレベルをさらに処理する手段（ＤＥＣ）を含む、
ことを特徴とする、第１の記憶媒体から検索された第１のデータにアクセスする装置。
【請求項１５】
ＡＶコンテンツの検出されたバージョンまたはクオリティレベルのさらなる処理のための手段（ＤＥＣ）は、前記第１のコンテンツ識別データに相応してデコーディングプロシージャを選択する手段を含み、前記第１のコンテンツ識別データから抽出されたデータを、操作値またはパラメータとして使用する、請求項１４記載の装置。
【請求項１６】
前記第１のアプリケーションデータは暗号化されており、前記第１の鍵識別データはさらに解読鍵を含み、当該解読鍵は前記第１の鍵識別値から抽出され、前記第１のアプリケーションデータを解読するために使用される、請求項１４または１５記載の装置。
【請求項１７】
ＡＶコンテンツの異なるバージョンまたはクオリティレベルは異なる第１のコンテンツ識別データを有する、請求項１４から１６までのいずれか１項記載の装置。
【請求項１８】
前記第２の記憶媒体（ＭＩＤ）は読み出し専用媒体であって、ワイヤレスインタフェースを通じてアクセス可能である、請求項１４から１７までのいずれか１項記載の装置。
【請求項１９】
前記第１の記憶媒体（ＭＣ）と前記第２の記憶媒体（ＭＩＤ）は相互に取り付けられない、請求項１４から１８までのいずれか１項記載の装置。
【請求項２０】
暗号鍵は前記第２のインタフェース（Ｉ２）を通じて前記リムーバルパッシブデバイス（ＭＣ）へ提供され、当該暗号鍵を用いて、受信された第１の鍵識別データが暗号化される、請求項１４から１９までのいずれか１項記載の装置。